(57)【要約】      （修正有）【課題】外障子及び内障子を備える建具において、外障子の召合框室内側の見付面に形成される煙返しをつたって室内側に侵入する水の動きを効果的に防止できる構成を提供すること。【解決手段】建具が備える外障子４０は、室外側に位置する召外框４３及び召外框４３の室内側見付面４３０ａに配置され、見込方向室内側に延びた後、外障子４０の戸先側に曲がる召外側煙返し部４３５を備え、召外側煙返し部４３５の外障子４０の戸先側に、下がるにつれて外障子４０の戸先側と反対側に向かう傾斜部７０が形成される。【選択図】図８
2019163660.tif 000002
【特許請求の範囲】
【請求項１】
下枠に対して室外側で摺動可能な外障子及び室内側で摺動可能な内障子を備える建具において、
前記外障子は、室外側に位置する召合框及び前記召合框の室内側見付面に配置され、見込方向室内側に延びた後、前記外障子の戸先側に曲がる煙返し部を備え、
前記煙返し部の前記外障子の戸先側の下端部に、下がるにつれて前記外障子の戸先側と反対側に向かう傾斜部が形成される建具。
【請求項２】
前記下枠には下枠風止部材が取り付けられ、
前記傾斜部の下端部が、前記下枠風止部材に対して見付方向の室外側であって上下方向で重ならない位置である請求項１に記載の建具。
【発明の詳細な説明】
【技術分野】
【０００１】
本発明は、室外側で摺動可能な外障子及び室内側で摺動可能な内障子を備える建具に関する。
【背景技術】
【０００２】
従来、引違い窓等の建具において、室外側からの雨水の侵入を防止するための構造を備えるものが知られている。この種の技術を開示するものとして特許文献１がある。
【０００３】
特許文献１には、召合せ部空間が室外空間と等圧な等圧空間とされるとともに、強風を伴った雨水が下枠と内障子との隙間から吹き込んだとしても、この雨水が越えることができない高さ寸法を有したＡＴ材によって阻止する構成について記載されている。これによって、内外の召合せ框間から室内空間への雨水の浸入を防止して水密性能の向上を図ることができるとしている。
【先行技術文献】
【特許文献】
【０００４】
【特許文献１】特開２００７−５１５３５号公報
【発明の概要】
【発明が解決しようとする課題】
【０００５】
ところで、引違い窓等の建具において、室外側に位置する外障子と室内側に位置する内障子の間に雨水等が入り込み、召外框の室内側の見付面に形成される煙返しをつたって下枠に落下して室内側に流れる漏水が生じることがある。高水密性能のサッシ等では、水切り等を設けて水の侵入を防止しているものの、隙間を完全に無くすことは困難である。特に、ビルの高層階では強風により漏気があると室内側に水が引き込まれ漏水が生じ易くなるおそれがある。従来の建具には、水密性の更なる向上という点で改善の余地があった。
【０００６】
本発明は、外障子及び内障子を備える建具において、外障子の召合框室内側の見付面に形成される煙返しをつたって室内側に侵入する水の動きを効果的に防止できる構成を提供することを目的とする。
【課題を解決するための手段】
【０００７】
本発明は、下枠（例えば、後述の下枠１２）に対して室外側で摺動可能な外障子（例えば、後述の外障子４０）及び室内側で摺動可能な内障子（例えば、後述の内障子２０）を備える建具（例えば、後述の建具１）において、前記外障子は、室外側に位置する召合框（例えば、後述の召外框４３）及び前記召合框の室内側見付面（例えば、後述の室内側見付面４３０ａ）に配置され、見込方向室内側に延びた後、前記外障子の戸先側に曲がる煙返し部（例えば、後述の召外側煙返し部４３５）を備え、前記煙返し部の前記外障子の戸先側の下端部に、下がるにつれて前記外障子の戸先側と反対側に向かう傾斜部（例えば、後述の傾斜部７０）が形成される建具に関する。
【０００８】
前記下枠には下枠風止部材（例えば、後述の下枠風止板６０）が取り付けられ、前記傾斜部の下端部（例えば、後述の下端部７０ｂ）が、前記下枠風止部材に対して見付方向の室外側であって上下方向で重ならない位置であることが好ましい。
【発明の効果】
【０００９】
本発明の建具によれば、外障子の召合框室内側の見付面に形成される煙返しをつたって室内側に侵入する水の動きを効果的に防止できる。
【図面の簡単な説明】
【００１０】
【図１】本発明の一実施形態に係る建具を室内側から見た姿図である。
【図２】本実施形態の建具の縦断面図である。
【図３】本実施形態の建具の横断面図である。
【図４】本実施形態の建具が備える下枠を示す拡大縦断面図である。
【図５】本実施形態の外障子の外側煙返し部と内障子の内側煙返し部が見込方向で対向している様子を示す拡大横断面図である。
【図６】本実施形態の下枠に配置される下枠風止板を示す平面図である。
【図７】本実施形態の下枠に配置される下枠風止板を示す正面図である。
【図８】本実施形態の外障子の外側煙返し部の下端部を示す拡大正面図である。
【発明を実施するための形態】
【００１１】
以下、本発明の好ましい実施形態について、図面を参照しながら説明する。なお、本明細書において、「見付方向」とは、建物に形成された開口部に納められた建具における障子の面方向を意味し、「見込方向」とは、上記障子の厚み方向を意味する。
【００１２】
図１は、本発明の一実施形態に係る建具１を室内側から見た姿図である。図２は、本実施形態の建具１の縦断面図である。図３は本実施形態の建具１の横断面図である。
【００１３】
本実施形態の建具１は、建物の開口部に固定される枠体１０と、枠体１０の内側で摺動可能に配置される内障子２０及び外障子４０と、外障子４０の更に室外側で摺動可能に配置される網戸５０と、を主要な構成として備える引違い窓である。
【００１４】
枠体１０は、上枠１１、下枠１２及び左右の縦枠１３，１４が略矩形に枠組みされて構成される。上枠１１、下枠１２及び左右の縦枠１３，１４は、アルミの押出し成形品であり、金属製である。
【００１５】
上枠１１について説明する。上枠１１の下面には、内障子２０の上部を挟み込む室内側溝部１１１と、外障子４０の上部を挟み込む室外側溝部１１２と、が形成される。室内側溝部１１１及び室外側溝部１１２は、何れも下方に開口するとともに左右方向に延びる溝である。室内側溝部１１１と室外側溝部１１２は、見込方向で隣接している。
【００１６】
下枠１２について説明する。下枠１２の見込方向室内側端部には、上方に立ち上がる室内側立ち上がり部１２０が形成される。室内側立ち上がり部１２０における室外側の見付面上部には気密材１２２を嵌合する嵌合部１２１が形成される。
【００１７】
下枠１２の室内側立ち上がり部１２０の室内側には、当該室内側立ち上がり部１２０に対向するように上方に延出する室内側レール１２３が形成される。室内側レール１２３の室外側の見付面には、見込方向室外側に延び出る延出片１２４が形成される。延出片１２４の室外側の端部には、気密材１２６を嵌合する嵌合部１２５が形成される。
【００１８】
室内側レール１２３の基端部には、延出片１２４の下方には、下方に傾斜しつつ室外側に向かった後、水平方向に沿って室外側に向かう底面部１２７が形成される。底面部１２７の室外側端部には、室外側レール１２８が形成される。
【００１９】
室外側レール１２８の室外側に下側に下がる段差部１２９が形成される。この段差部１２９の室外側端部には、上方に立ち上がる室外側立ち上がり部１３０が形成される。室外側立ち上がり部１３０は、その見付面に排水孔１３１が形成される。
【００２０】
縦枠１３の内側の見込面には内障子２０に対向する衝突防止部材１３５が配置されるとともに、縦枠１４の内側の見込面には外障子４０の衝突防止部材１３６が配置される。
【００２１】
内障子２０及び外障子４０は、何れも引き戸であり、これらを左右方向（見付方向）にスライドさせることで、開口部が閉鎖又は開放される。図１では、内障子２０及び外障子４０の両方が閉鎖位置にある状態が示されている。
【００２２】
内障子２０について説明する。内障子２０は、上框２１、下框２２及び左右の縦框である召内框２３，戸先框２４により矩形に枠組みされた框体２５と、框体２５内に嵌め込まれて固定された面材としての複層ガラス２６と、を含んで構成される。
【００２３】
上框２１は、中空部を有する上框本体部２１０と、上框本体部２１０の下側に形成され、複層ガラス２６の端部が挟み込まれるガラス溝部２１１と、を備える。
【００２４】
下框２２は、中空部を有する下框本体部２２０と、下框本体部２２０の上側に形成され、複層ガラス２６の端部が挟み込まれるガラス溝部２２１と、下框本体部２２０の下側に形成されるカバー部２２２と、を備える。下框本体部２２０の下面には、複数の戸車２７が回転可能に配置される。
【００２５】
召内框２３は、中空部を有する召内框本体部２３０と、召内框本体部２３０の戸先側（戸先框２４側）に形成され、複層ガラス２６の端部が挟み込まれるガラス溝部２３１と、を備える。召内框本体部２３０の室外側の見付面には、気密材２３３が配置される嵌合部２３２と、嵌合部２３２の戸先側で見込方向室外側に延びた後、見付方向の縦枠１４側に屈曲する召内側煙返し部２３５と、が形成される。また、図１に示すように、召内框２３には戸締り用のクレセント錠２９（図２及び図３において図示省略）が配置される。
【００２６】
戸先框２４は、中空部を有する戸先框本体部２４０と、戸先框本体部２４０の縦枠１３側に形成され、複層ガラス２６の端部が挟み込まれるガラス溝部２４１と、を備える。戸先框本体部２４０の縦枠１４側には、クッション材２４３が嵌合する嵌合部２４２が形成される。
【００２７】
外障子４０について説明する。外障子４０は、上框４１、下框４２及び左右の縦框である召外框４３，戸先框４４により矩形に枠組みされた框体４５と、框体４５内に嵌め込まれて固定された面材としての複層ガラス４６と、を含んで構成される。
【００２８】
框体４５のうち、上框４１、召外框４３及び戸先框４４は、内障子２０の上框２１、召内框２３及び戸先框２４と略同様の構成である。上框４１は、上框本体部４１０とガラス溝部４１１を備える。召外框４３は、召内框本体部４３０とガラス溝部４３１を備え、召内框本体部４３０の室内側の見付面には、見込方向室内側に延びた後、見付方向の縦枠１３側に屈曲する召外側煙返し部４３５が形成される。召外側煙返し部４３５は、室内側から召内側煙返し部２３５に見込方向で対向する。戸先框４４は、戸先框本体部４４０と、ガラス溝部４４１と、を備える。戸先框本体部４４０の縦枠１３側には、クッション材４４３が嵌合する嵌合部４４２が形成される。
【００２９】
下框４２は、中空部を有する下框本体部４２０と、下框本体部４２０の上側に形成され、複層ガラス４６の端部が挟み込まれるガラス溝部４２１と、下框本体部４２０の下側に形成され、複数の戸車４７が回転可能に配置される戸車支持部４２２と、を備える。
【００３０】
戸車支持部４２２の室外側の見付面下部には、下側に延出する下框延出部４２５が形成されており、後述する下枠１２の室外側立ち上がり部１３０に見込方向で対向する位置関係にある。下框延出部４２５は、下框４２の長手方向に沿って形成されており、室外側立ち上がり部３０との間に隙間を形成する。この下框延出部４２５の下端部には水切材４２７（図３において図示省略）を保持する嵌合部４２６が形成される。
【００３１】
図２に示すように、網戸５０は、外障子４０の室外側で摺動可能に上枠１１及び下枠１２に取り付けられる。網戸５０は、上枠１１の室外側溝部１１２を室外側で形成する室外側壁部１１３は、網戸５０の上部５１が係合する係合部として機能する。また、下枠１２の室外側立ち上がり部１３０が網戸５０の下部５２が係合する係合部として機能する。なお、図３以降において網戸５０の図示は省略している。
【００３２】
図４は、本実施形態の建具１が備える下枠１２を示す拡大縦断面図である。図５は、本実施形態の外障子４０の召外側煙返し部４３５と内障子２０の召内側煙返し部２３５が見込方向で対向している様子を示す拡大横断面図である。
【００３３】
外障子４０の召外框４３は外側に面している。ここで、閉鎖位置の外障子４０を基準とすると、召外框４３の縦枠１４に対向する見込面は室外側となり、下枠１２における外障子４０の縦枠１４側も室外側となる。一方で、外障子４０の召外框４３よりも縦枠１３側は、内障子２０によって室外側から隔てられており、室内側に位置することになる。以下の説明において、外障子４０の見付方向の縦枠１４側を見付方向の室外側とし、見付方向の縦枠１３側を見付方向の室内側として説明する場合がある。
【００３４】
図４及び図５の鎖線に示すように、下枠１２の上面には下枠風止板６０が配置される。下枠風止板６０は、閉鎖位置にある内障子２０の召内框２３に上下方向視で重なる位置関係になっている。
【００３５】
図６は、本実施形態の下枠１２に配置される下枠風止板６０を示す平面図である。図７は、本実施形態の下枠１２に配置される下枠風止板６０を示す正面図であり、図６の矢印Ａの方向で見た様子が模式的に示されている。図６及び図７に示すように、本実施形態の下枠１２の延出片１２４の見込面１２４ａには加工穴（開口）７０が形成されている。下枠風止板６０は、延出片１２４における加工穴７５に対して隣接配置される。本実施形態では、下枠風止板６０は、加工穴７５における見付方向の室内側の端面に沿っている。
【００３６】
下枠風止板６０は、見込方向室内側に延出する室外側延出部６１と、見込方向室内側に延出する室内側延出部６２と、を備える。下枠風止板６０の室外側延出部６１は、内障子２０が閉鎖位置にある状態で、召内側煙返し部２３５の下部に接触するとともに、室外側を向く先端面が外障子４０に見込方向で対向している。
【００３７】
次に、外障子４０の召外側煙返し部４３５の詳細な構成について説明する。図８は、本実施形態の外障子４０の召外側煙返し部４３５の下端部を示す拡大正面図である。図８には、召外側煙返し部４３５の下端部が示されており、水が召外側煙返し部４３５の見付面４３５ａをつたって落下する様子が模式的に示されている。
【００３８】
図８に示すように、召外側煙返し部４３５は、途切れることなく上下方向に連続している。召外側煙返し部４３５の見付方向の室内側の先端面は、上下方向に直線状に延びる垂直部４３５ｂとして形成される。
【００３９】
召外側煙返し部４３５は、見付方向の室内側のコーナーが面取り加工されており、傾斜部７０が形成される。傾斜部７０の上端部７０ａは垂直部４３５ｂに接続され、傾斜部７０の下端部７０ｂは見付方向の室外側に延びる水平部４３５ｃに接続される。
【００４０】
傾斜部７０は、上端部７０ａから下がるにつれて見付方向の縦枠１４側に進むように傾斜している。本実施形態では、傾斜部７０の上端部７０ａは、召外框４３における室内側見付面４３０ａの幅方向中央よりも、見付方向の室内側に位置している。傾斜部７０の下端部７０ｂは、上下方向で下枠風止板６０に重ならない位置になっている。また、上端部７０ａと下端部７０ｂは、僅かに丸められた形状となっている。
【００４１】
本実施形態では、安全性の観点から召外側煙返し部４３５の戸先側の上端部（図示省略）がＲ加工されている。召外側煙返し部４３５の上端面は水平となっており、そのＲ部分が始まる始端部（見付方向の室外側端部）の位置は、傾斜部７０の下端部７０ｂ（見付方向の室外側端部）の位置に対して見付方向の室内側となっている。なお、召外側煙返し部４３５の戸先側の上端部の構成は、Ｒ部分の形状を変えたり、Ｒ部分を省略したりすることもでき、事情に応じて適宜変更可能である。
【００４２】
上記実施形態によれば、以下のような効果を奏する。
本実施形態の建具１が備える外障子４０は、室外側に位置する召外框４３及び召外框４３の室内側見付面４３０ａに配置され、見込方向室内側に延びた後、外障子４０の戸先側に曲がる召外側煙返し部４３５を備え、召外側煙返し部４３５の外障子４０の戸先側に、下がるにつれて外障子４０の戸先側と反対側に向かう傾斜部７０が形成される。
【００４３】
これにより、雨水等が召外側煙返し部４３５の見付面４３５ａをつたって下がってきても、傾斜部７０によって水滴を召外框４３の見付方向の室外側に案内できるので、召外側煙返し部４３５を伝った水がそのまま下方に落下して下枠１２を通じて室内側に移動し、漏水の原因となることを効果的に防止できる。また、傾斜部７０によって移動方向の先端側に位置する召外側煙返し部４３５の下端部の角部がなくなるので、安全性もあわせて向上することになる。
【００４４】
また、本実施形態では、下枠１２には下枠風止板（下枠風止部材）６０が取り付けられ、傾斜部７０の下端部７０ｂが、下枠風止板６０に対して見付方向の室外側であって上下方向で重ならない位置である。
【００４５】
これにより、召外側煙返し部４３５をつたって落下してきた水が下枠風止板６０を超え見付方向の室内側に移動する事態の発生を効果的に防止することができる。
【００４６】
以上、本発明の好ましい実施形態について説明したが、本発明は、上述の実施形態に制限されるものではなく、適宜変更が可能である。
【００４７】
上記実施形態では、傾斜部７０が直線状に形成される例を説明したがこの構成に限定されるわけではない。例えば、召外側煙返し部４３５の下端部が円弧状に曲がりながら雨水を室外側に誘導する構成としてもよい。
【符号の説明】
【００４８】
１  建具
１２  下枠
２０  内障子
４０  外障子
４３  召外框（召合框）
６０  下枠風止板（下枠風止部材）
７０  傾斜部
７０ｂ  下端部
４３５  召外側煙返し部（煙返し部）
【図１】
2019163660.tif 000003
【図２】
2019163660.tif 000004
【図３】
2019163660.tif 000005
【図４】
2019163660.tif 000006
【図５】
2019163660.tif 000007
【図６】
2019163660.tif 000008
【図７】
2019163660.tif 000009
【図８】
2019163660.tif 000010